(57)【要約】【課題】縦管の布設管理を簡便にできるようにする。【解決手段】縦管５を板状の基板２の透孔４に連通する縦管案内用スリーブ３Ａ〜３Ｇと縦管支持部材２１とを有する縦管支持ユニット１を、躯体を構成するフレーム１２に位置決めした後、鉄筋コンクリート１０によって、躯体の床面１１の一部として埋め込むように固定するようにしたことにより、建築物に必要な縦管５の布設を、重量物構築用機材を使用することなく簡便に行い得る。【選択図】図１
2015137675.tif 000002
【特許請求の範囲】
【請求項１】
案内支持すべき複数の縦管をそれぞれ貫通させる複数の透孔を有する板状の基板と、
上記基板上に取り付けられ、上記複数の透孔とそれぞれ連通しながら上記基板から上方に突出する複数の縦管案内用スリーブと、
上記基板上に取り付けられ、上記複数の縦管案内用スリーブにそれぞれ対応して、当該対応する縦管案内用スリーブの上面に、当該上面とは偏心した位置において係止部を対向させるように位置決めされた複数の縦管支持部材と
を具えた縦管支持ユニットを有し、上記基板を建築物の１つの階の躯体を構成するフレームに位置決めした後、当該１つの階の床面を形成する鉄筋コンクリートによって、当該床面の一部として、上記縦管支持ユニットのうち、上記基板と上記縦管案内用スリーブ及び上記縦管支持部材の根元部分とを埋め込むことにより固定する
ことを特徴とする縦管支持装置。
【請求項２】
上記床面に埋め込まれた状態の上記縦管支持ユニットについて、上記透孔及び上記縦管案内スリーブに縦管を貫通させた後、上記縦管支持部材の上記係止部に対して当該貫通された縦管を縦管締付具によって締付け保持する
ことを特徴とする請求項１に記載の縦管支持装置。
【請求項３】
上記縦管支持ユニットは、予め製作された状態で上記建築物の建築現場に持ち込まれて、上記建築物の躯体を構成する上記フレームに位置決めされる
ことを特徴とする請求項１に記載の縦管支持装置。
【発明の詳細な説明】
【技術分野】
【０００１】
本発明は縦管支持装置に関し、特に多層建築物に適用して好適なものである。
【背景技術】
【０００２】
高層建築物などの多層建築物においては、調整空気配管、上下水道配管、電気配線管などの多種類の配管を、地上側から必要に応じて多層各階に配管する必要があり、当該多種類の配管を各階を貫通させて分岐するための配管支持構造が提案されている（特許文献１〜３参照）。
【先行技術文献】
【特許文献】
【０００３】
【特許文献１】実公平６−４８０４６号公報
【特許文献２】特開２０００−２７３９２２公報
【特許文献３】特開２００３−２９４１７０公報
【発明の概要】
【発明が解決しようとする課題】
【０００４】
ところが、従来用いられている配管支持構造は、構成が複雑かつ大型で、重量も大きいため、多層建築物に設置施工する際には、クレーンなどの重量物構築用機材を使用する必要があり、多層建築物の建設現場における作業性が良くない問題がある。
【０００５】
本発明は以上の点を考慮してなされたもので、多層建築物の建設現場における縦管の布設管理と、支持構造とを、一段と簡便にできるようにしたものである。
【課題を解決するための手段】
【０００６】
案内支持すべき複数の縦管５をそれぞれ貫通させる複数の透孔４を有する板状の基板２と、基板２上に取り付けられ、複数の透孔４とそれぞれ連通しながら基板２から上方に突出する複数の縦管案内用スリーブ３Ａ〜３Ｇと、基板２上に取り付けられ、複数の縦管案内用スリーブ３Ａ〜３Ｇにそれぞれ対応して、当該対応する縦管案内用スリーブ３Ａ〜３Ｇの上面に、当該上面とは偏心した位置において係止部２１Ｃを対向させるように位置決めされた複数の縦管支持部材２１とを具えた縦管支持ユニット１を有し、基板２を建築物の１つの階の躯体を構成するフレーム１２に位置決めした後、当該１つの階の床面１１を形成する鉄筋コンクリートによって、当該床面１１の一部として、縦管支持ユニット１のうち、基板２と、縦管案内用スリーブ３Ａ〜３Ｇ及び縦管支持部材２１の根元部分とを埋め込むことにより固定するようにする。
【発明の効果】
【０００７】
本発明によれば、縦管を板状の基板の透孔に連通する縦管案内用スリーブと縦管支持部材とを有する縦管支持ユニットを、躯体を構成するフレームに位置決めした後、鉄筋コンクリートによって、躯体の床面の一部として埋め込むように固定するようにしたことにより、建築物に必要な縦管の布設管理を、重量物構築用機材を使用することなく簡便に行い得る。
【図面の簡単な説明】
【０００８】
【図１】本発明の一実施の形態による縦管支持ユニットを示す斜視図である。
【図２】図１の縦管支持ユニットに対する躯体支持構造を示す略線的断面図である。
【図３】基板２上に設けられる縦管支持部材を示す略線的側面図である。
【図４】図３の縦管支持部材に用いられる縦管締付具を示す略線的平面図である。
【図５】縦管支持ユニットの床面に対する埋め込み構造の説明に供する略線的断面図である。
【図６】他の実施の形態を示す略線的断面図である。
【図７】他の実施の形態を示す略線的平面図である。
【発明を実施するための形態】
【０００９】
以下図面について、本発明の一実施の形態を詳述する。
【００１０】
（１）実施の形態
図１〜図４において、１は全体として縦管支持ユニットを示し、鉄板材料でなる基板２上に複数例えば７個の、薄い鉄板材料でなる、短い、円筒形状の、縦管案内用スリープ３Ａ〜３Ｇが、上方に突出するように設けられている。
【００１１】
基板２の縦管案内用スリーブ３Ａ〜３Ｇが設けられている部分にはそれぞれ透孔４が形成され、これにより縦管支持ユニット１によって配管管理支持すべき縦管５（図４）を縦管案内用スリーブ３Ａ〜３Ｇを通って上下方向に貫通できるようになされている。
【００１２】
ここで、基板２は、図２に示すように、多層建築物の各階において、躯体を構成するフレーム１２上に鉄筋コンクリート１０によって形成される厚さＬ１の床面１１内において、フレーム１２上に布設され、これにより高さＬ２の縦管案内用スリーブ３Ａ〜３Ｇの先端が、床面１１より上方に突出する状態で、縦管案内用スリーブ３Ａ〜３Ｇが縦管５を下の階から上の階に案内するようになされている。
【００１３】
縦管支持ユニット１の基板２の上面には、その周囲を囲むように、例えば断面四角形状に折り曲げられた、リブ構造の補強用枠体１３が例えば溶接により形成されていると共に、補強用枠体１３間を繋ぐようにリブ構造の補強用棒体１４が互いに交差するように基板２の表面に溶接されている。
【００１４】
かくして基板２は、それ自体厚みが薄い鉄板材料で構成されているのに対して、その厚み方向の強度が補強用枠体１３及び補強用棒体１４によって構成される補強部材１５によって補強される。
【００１５】
各縦管案内用スリーブ３Ａ〜３Ｇに対応する基板２上には、それぞれ縦管支持部材２１が設けられている。
【００１６】
この実施の形態の場合、縦管支持部材２１は、図３に示すように、断面Ｌ字状アングルによって構成され、縦管案内用スリーブ３Ａ〜３Ｇを挟むように基板２から上方に立ち上がる一対の立上げ部２１Ａ及び２１Ｂと、その先端を繋ぐ係止部２１Ｃとで方形枠形状に構成され、図４に示すように、縦管案内用スリーブ３Ａ〜３Ｇの上端面に対向し、かつ縦管案内用スリーブ３Ａ〜３Ｇとは偏心した位置を係止部２１Ｃが横切るような位置に、立上げ部２１Ａ及び２１Ｂの下端から外側に折れ曲がるように形成された固着部２１Ｄ及び２１Ｅが基板２上にねじ止め又は点溶接により固着されている。
【００１７】
かくして縦管支持部材２１の係止部２１Ｃを縦管案内用スリーブ３Ａ〜３Ｇを貫通する縦管５の外表面に当接させた状態において、Ｕ字状金具でなる縦管締付具２２の両端を係止部２１Ｃに穿設した一対の締付穴２３（図３）に締付ナット２４によって締め付ける（図４）ことにより、縦管５を縦管支持部材２１の係止部２１Ｃに固定支持できるようになされている。
【００１８】
以上の構成において、建築物の建設現場において、基板２上に複数７個の縦管案内用スリーブ３Ａ〜３Ｇを縦管支持部材２１と共に立設してなる縦管支持ユニット１は、図２に示す建築物の躯体の支持構造を構成するフレーム１２上に位置決めされた状態でねじ止めされる。
【００１９】
このとき、縦管支持ユニット１としては、薄い、従って軽量な鉄板材料でなる基板２上に、薄くかつ短い鉄板材料でなる縦管案内用スリーブ３Ａ〜３Ｇと、簡易な構成の鉄板材料でなる縦管支持部材２１とを立設した簡易かつ軽量の構造となっていることにより、多層建築物への取付け作業は、クレーン等の重量物構築用機材を使用せずに、人手によって行うことができる。
【００２０】
かくして縦管支持ユニット１を多層建築物に対する仮設部材としてフレーム１２上に位置決め設置した後、図２及び図５に示すように、建築物の躯体である各階のフレーム１２上に、床面１１を、鉄筋コンクリート１０によってコンクリート打設する際に、縦管支持ユニット１も一緒に建築物の躯体の一部として固定される。
【００２１】
このとき縦管支持ユニット１の縦管支持部材２１は、図５に示すように、基板２が縦管案内用スリーブ３Ａ〜３Ｇの根元部分を形成する立上げ部２１Ａ及び２１Ｂの根元側部分並びに固着部２１Ｄ及び２１Ｅと共に、床面１１を構成する鉄筋コンクリート１０内に、一体に固定される。
【００２２】
この結果、縦管支持ユニット１は、縦管案内用スリーブ３Ａ〜３Ｇの先端部と、縦管支持部材２１の先端部である係止部２１Ｃとを、鉄筋コンクリート１０が打設された床面１１上に突出させた状態で、多層建築物の一部として一体化される。
【００２３】
このことは、それ単独では多層建築物の部材としては十分な強度をもたない仮設的で、軽量な縦管ユニット１が、鉄筋コンクリート１０によって躯体の主要な設備である床面１１と一体化されたことにより、仮設部材ではなく、十分な強度及び重量を有する多層建築物本体の部材の一部として機能することになったことを意味する。
【００２４】
この状態において、基板２の透孔４及び縦管案内用スリーブ３Ａ〜３Ｇを貫通することにより案内させながら縦管５を布設した後、図４に示すように、縦管締付具２２及び締付ナット２４によって、当該縦管５を、床面１１から上方に突出している係止部２１Ｃに締付固定することにより、縦管５が建築物の一部となった縦管支持ユニット１に一体に固定され、これにより、当該縦管５も建築物の一部として構築されることになる。
【００２５】
かくするにつき、縦管案内用スリーブ３Ａ〜３Ｇにそれぞれ布設すべき各種の縦管５は、その種別、すなわち調整空気配管、上下水道配管、湯水配管、冷媒配管、ケーブル配管、ガス配管などについて、布設すべき縦管案内用スリーブ３Ａ〜３Ｇを予め割当管理しておくことができることにより、縦管５の布設作業に混乱を生じさせるおそれを有効に回避できる。
【００２６】
上述の縦管支持ユニット１によれば、多層建築物の建築現場における縦管の布設管理を、クレーン等の重量物構築用機材を使用せずに簡便に実現できる。
【００２７】
（２）実施例
上述の縦管支持ユニット１の実施例として、基板２の厚みが１．６〜２．３［ｍｍ］で、横幅が７８０［ｍｍ］でかつ縦幅が１３００［ｍｍ］に選定し、縦管案内用スリーブ３Ａ〜３Ｇの高さを２００［ｍｍ］とすると共に、床面１１の高さを１５０［ｍｍ］にしたとき、縦管支持ユニット１の重量は数１０［ｋｇ］程度に軽量化できた。
【００２８】
この結果、多層建築物の建設現場において縦管支持ユニット１を持ち込んで取付け施工する手間を簡便にすることができた。
【００２９】
（３）他の実施の形態
（３−１）図５について上述した実施の形態について、対応する部分に同一符号を付して図６に示すように、縦管支持部材２１の立上げ部２１Ａ及び２１Ｂの外側に、床面１１を形成する鉄筋コンクリート１０内に突出するように（例えば高さ７５［ｍｍ］程度の高さ位置に）、補強突起２５を設けるようにしてもよい。
【００３０】
このようにすれば、縦管支持部材２１と、多層建築物の躯体との一体強度をさらに高めることができる。
【００３１】
（３−２）図４の構成について、図７に示すように、縦管５と縦管案内用スリーブ３Ａ〜３Ｇ間に温度を遮断する断熱用挿入材料２７を挿入するようにしても、上述の実施の形態と同様の効果を得ることができると共に、縦管５内に外部の部材と比較して温度差がある液体を流すような縦管５を支持するような場合に、縦管案内用スリーブ３Ａ〜３Ｇと縦管５との間に露滴を発生させないようにすることができることにより、縦管案内用スリーブ３Ａ〜３Ｇの劣化を防止することができる。
【００３２】
（３−３）上述の実施の形態においては、縦管案内用スリーブ３Ａ〜３Ｇ、縦管支持部材２１及び基板２を鉄材料で構成した場合について述べたが、これに限らず、必要に応じて、それ自体軽量な、他の材料を用いるようにしても、上述の実施の形態における重量軽減効果と同様の効果を実現できる。
【００３３】
（３−４）上述の実施の形態においては、基板２の補強部材１５の断面形状を、四角形状としたが、これに代え、三角形状や、Ｌ字形状などに変形しても、上述の場合と同様の効果を得ることができる。
【産業上の利用可能性】
【００３４】
本発明は多層建築物の建設に利用できる。
【符号の説明】
【００３５】
１……縦管支持ユニット、２……基板、３Ａ〜３Ｇ……縦管案内用スリーブ、４……透孔、５……縦管、１０……鉄筋コンクリート、１１……床面、１３……補強用枠体、１４……補強用棒体、１５……補強部材、２１……縦管支持部材、２１Ａ、２１Ｂ……立上げ部、２１Ｃ……係止部、２１Ｄ、２１Ｅ……固着部、２２……縦管締付具、２４……締付ナット、２５……補強突起、２７……断熱用挿入材料。
【図１】
2015137675.tif 000003
【図２】
2015137675.tif 000004
【図３】
2015137675.tif 000005
【図４】
2015137675.tif 000006
【図５】
2015137675.tif 000007
【図６】
2015137675.tif 000008
【図７】
2015137675.tif 000009